(57)【要約】      （修正有）【課題】袖口が破れてしまうことを防止するための袖口構造を備えることにより、和服の性能を高めることができる和服を提供する。【解決手段】和服１０は、左右一対の袖１１を有し、当該袖１１のうち一部が縫われることで、袖丈よりも短い袖口１３と、袋状の袂１５を備える。また、和服１０には、袂１５を形成する縫い目１４と、袖口１３との境界部に対し、縫い目１４に対して加わる外力を袖口１３の外方向に受け流す補強部２０が形成されている。【選択図】図１
0003187254.tif 000002
【実用新案登録請求の範囲】
【請求項１】
左右一対の袖を有し、当該袖のうち一部が縫われることで、袖丈よりも短い袖口と、袋状の袂を有する和服であって、
前記袂を形成する縫い目と、前記袖口との境界部に対し、縫い目に対して加わる外力を袖口の外方向に受け流す補強部を形成したことを特徴とする和服。
【請求項２】
請求項１に記載の和服において、
前記補強部は、四角形状の布を折り合わせて形成されたものであることを特徴とする和服。
【請求項３】
請求項１又は２に記載の和服において、
前記補強部は、和服への設置状態において正面視で三角形状となるように形成されたものであることを特徴とする和服。
【請求項４】
請求項１〜３のいずれか１項に記載の和服において、
前記補強部は、
四角形状の布の任意の対角が重なり合うように折り合わすことで二等辺三角形を形成する第一工程と、
前記第一工程で形成された二等辺三角形の頂点が重なり合うように折り合わすことで二等辺三角形を形成する第二工程と、
前記第二工程で形成された二等辺三角形の底辺側を前記袖口に沿って縫合する第三工程と、
を経て形成されたものであることを特徴とする和服。
【請求項５】
請求項１〜４のいずれか１項に記載の和服において、
前記補強部は、前記袖口の内部に形成されるとともに、前記袖口の斜め下外方に向く傾斜面を有して形成されたものであることを特徴とする和服。
【考案の詳細な説明】
【技術分野】
【０００１】
本考案は、和服に係り、特に、袖口が破れてしまうことを防止するための袖口構造を備える和服に関するものである。
【背景技術】
【０００２】
和服は日本固有の衣装であり、その主要な構造としては、腰の位置で帯（おび）を結ぶことによって体に固定させる長着（ながぎ）を有するとともに、腕の太さよりもずっと広い袖（そで）を有している。また、長着や羽織では、袖のうち一部を縫ってあり、これにより袖口は袖丈よりも短くなり、袖に袋状の袂（たもと）ができる構成となっている。なお、このような和服に対して改良を施したものとして、例えば、下記特許文献１などが存在する。
【先行技術文献】
【特許文献】
【０００３】
【特許文献１】実用新案登録第３１２４３５１号明細書
【考案の概要】
【考案が解決しようとする課題】
【０００４】
ところで、従来の日本家屋で和服を着用して生活する場合には問題とならなかったことであっても、洋風化した現代家屋では、和服を着用して生活する際に不都合が生じることがある。例えば、従来の日本家屋では、扉は引き戸が主流であり、引き戸にはドアノブ等の突起物がないため、和服の袖口を引っ掛けて袖口を破ってしまうということはなかった。
【０００５】
しかしながら、現代家屋では、扉に設置されたドアノブ等の突起物が存在するため、和服の着用者は、袖口をドアノブ等の突起物に引っ掛けてしまい、袖口を破ってしまうことが比較的頻繁に発生していた。このような不具合の発生は、和服を現代日本人の生活から遠ざけてしまい、和服の着用率を低下させる一因にもなっていた。
【０００６】
本考案は、上述した従来の和服に存在する問題点に鑑みて成されたものであって、今もなお我が国の生活に必要不可欠な和服の性能を高めることで破れ難い和服を提供し、もって和服の需要を喚起することを目的として成されたものである。
【課題を解決するための手段】
【０００７】
本考案に係る和服は、左右一対の袖を有し、当該袖のうち一部が縫われることで、袖丈よりも短い袖口と、袋状の袂を有する和服であって、前記袂を形成する縫い目と、前記袖口との境界部に対し、縫い目に対して加わる外力を袖口の外方向に受け流す補強部を形成したことを特徴とするものである。
【０００８】
本考案に係る和服において、前記補強部は、四角形状の布を折り合わせて形成されたものであることとすることができる。
【０００９】
また、本考案に係る和服において、前記補強部は、和服への設置状態において正面視で三角形状となるように形成されたものであることとすることができる。
【００１０】
さらに、本考案に係る和服において、前記補強部は、四角形状の布の任意の対角が重なり合うように折り合わすことで二等辺三角形を形成する第一工程と、前記第一工程で形成された二等辺三角形の頂点が重なり合うように折り合わすことで二等辺三角形を形成する第二工程と、前記第二工程で形成された二等辺三角形の底辺側を前記袖口に沿って縫合する第三工程と、を経て形成されたものであることとすることができる。
【００１１】
またさらに、本考案に係る和服において、前記補強部は、前記袖口の内部に形成されるとともに、前記袖口の斜め下外方に向く傾斜面を有して形成されたものであることとすることができる。
【考案の効果】
【００１２】
本考案によれば、袖口が破れてしまうことを防止するための袖口構造を備えることにより、和服の性能を高めることができる。すなわち、本考案に係る破れ難い和服を提供することで、和服の需要を喚起することができる。
【図面の簡単な説明】
【００１３】
【図１】本実施形態に係る和服の構成を説明するための正面図である。
【図２】本実施形態に係る和服の補強部を説明するための部分拡大左側面図である。
【図３】本実施形態に係る和服の補強部の形成工程を説明するための図である。
【考案を実施するための形態】
【００１４】
以下、本考案を実施するための好適な実施形態について、図面を用いて説明する。なお、以下の実施形態は、各請求項に係る考案を限定するものではなく、また、実施形態の中で説明されている特徴の組み合わせの全てが考案の解決手段に必須であるとは限らない。
【００１５】
まず、図１及び図２を用いて、本考案の構成例を説明する。ここで、図１は、本実施形態に係る和服の構成を説明するための正面図であり、図２は、本実施形態に係る和服の補強部を説明するための部分拡大左側面図である。
【００１６】
なお、本明細書では、説明の便宜のために、図１〜図３に対して「前後・上下・左右」の方向を記載することで和服１０の方向を定義した。この方向は、本実施形態に係る和服１０の着用時における基本的な状態を考慮して定義されたものであるが、この方向が和服１０の使用状態を限定するものではない。
【００１７】
図１に示すように、本実施形態に係る和服１０は、左右一対の袖１１と、袖丈よりも短い袖口１３と、袋状の袂１５と、縫い目１４に対して加わる外力を袖口１３の外方向に受け流す補強部２０と、を有して構成される。
【００１８】
左右一対の袖１１は、和服１０の前面及び背面を覆う部分である身頃１７の左右にあって、着用者の両腕を覆う部分である。そして、袖１１には、和服１０の身頃１７と縫い合わされる袖１１の一端側（すなわち、身頃１７と袖１１との縫合側）とは反対の他端側の一部を縫い合わせることによって縫い目１４を形成し、袖丈よりも短い袖口１３が形成される。袖口１３は、着用者の手首などを通す部分である。さらに、袖１１の下部を縫い合わせることによって、袖１１の下部には、袋状の袂１５が形成される。
【００１９】
そして、本実施形態に係る和服１０にあっては、袂１５を形成する縫い目１４と袖口１３との境界部に、補強部２０が形成される。この補強部２０は、袂１５を形成する縫い目１４に対して加わる外力を袖口１３の外方向に受け流すためのものである。
【００２０】
補強部２０は、図１に示すように、袖口１３の内部に形成されるとともに、袖口１３の下端側の側面と、後述する補強部２０を構成する布の二等辺三角形の底辺の一端とが縫合によって接続して形成される。さらに、補強部２０は、袖口１３の斜め下外方に向く傾斜面を有して形成される。そして、本実施形態に係る補強部２０は、図１に示すように、和服１０への設置状態において、正面視で三角形状となる。また、図２に示すように、補強部２０は、側面視で略矢羽形状となって形成される。
【００２１】
以上、本考案の構成例について、説明した。次に、図３を用いて、本実施形態に係る和服１０の補強部２０の形成工程について、説明する。ここで、図３は、本実施形態に係る和服の補強部の形成工程を説明するための図である。
【００２２】
補強部２０は、図３の分図（ａ）に示すように、例えば、５〜６センチメートルの四角形状の布によって形成される。そして、四角形状の布は、特に限定されないが、経糸と緯糸との織目に合わせて裁断されることが好ましい。
【００２３】
まず、第一工程として、図３の分図（ａ）に示した四角形状の布の破線部分を折り、四角形状の布の任意の対角が重なり合うように折り合わす。そうすると、図３の分図（ｂ）に示すような二等辺三角形の布を形成することができる。
【００２４】
そして、第二工程として、図３の分図（ｂ）に示した二等辺三角形の布の破線部分を折る。図３の分図（ｂ）に示された二等辺三角形の布の頂点が重なり合うように折り合わすことで、図３の分図（ｃ）に示すような、より小さい二等辺三角形の布が形成されることになる。ここで、より小さい二等辺三角形の布の底辺側は、折り目とは反対側なので、隙間が形成されている。
【００２５】
さらに、第三工程として、補強部２０の隙間が形成された二等辺三角形の布の底辺側を袖口１３に沿って、縫い合わせる。つまり、図３の分図（ｃ）の状態で、袖口１３の下端の縫い目１４との境界部分から上方向に向かって、袖口１３の側面に沿って縫い合わせることとなる。そして、補強部２０において隙間が存在する二等辺三角形の布の底辺側を袖口１３の側面に沿って縫い合わせることによって、補強部２０は、隙間を有することなく和服１０に設置されることとなる。
【００２６】
より詳しくは、補強部２０は、袖１１の内部に隠れるように形成されるとともに、袖口１３の下端側の側面と補強部２０を構成する布の二等辺三角形の底辺を形成する端部とが接続し、さらに、袖口１３の斜め下外方に向く傾斜面を有するように縫い合わされて形成される。このような構成により、本実施形態に係る補強部２０は、図１に示すように、正面視で三角形状となり、また、図２に示すように、側面視で略矢羽形状となる。
【００２７】
そして、本実施形態に係る補強部２０を有する和服１０は、袖口１３に突起物などを引っ掛けてしまった場合であっても、袖口１３の内部に形成されるとともに袖口１３の斜め下外方に向く傾斜面を有する補強部２０によって、突起物などによる外力が、袖口１３の下部の縫い目１４に集中することがないような構成となっている。したがって、袖口１３が破れてしまうことを好適に防止することができる。
【００２８】
また、突起物などを袖口１３の下部に引っ掛けて、突起物などによる外力が補強部２０に加わった場合であっても、補強部２０の形状の効果によって、突起物などによる外力によって補強部２０の生地が延び、袖口１３の下部に対して加わる外力を袖口１３の外方向に受け流すことができることとなる。したがって、袖口１３が破れてしまうことを防止することができる。
【００２９】
ここで、一般的に、和服１０の生地には、経糸と緯糸とを組み合わせて織られた布を用いることが多い。そして、経糸と緯糸とを組み合わせて織られた生地は、斜め方向に、より延びやすいことが知られている。
【００３０】
そして、本実施形態に係る補強部２０は、外力が加わる袖口１３の斜め下外方を向く傾斜面が、生地のバイアス方向となるように構成されている。すなわち、補強部２０の生地は、より延びやすい方向となるように配置されているため、補強部２０は、突起物などによる外力を受け止め、袖口１３の外方向に流すことができることになる。したがって、本考案によれば、袖口１３が破れてしまうことを好適に防止することができる。
【００３１】
以上より、本考案によれば、袖口１３が破れてしまうことを防止するための袖口構造を備えることによって、和服１０の性能を高めることができる。そして、本考案に係る破れ難い和服１０を提供することで、和服の需要を喚起することができることとなる。
【００３２】
以上、本考案の好適な実施形態について説明したが、本考案の技術的範囲は上記実施形態に記載の範囲には限定されない。
【００３３】
例えば、本実施形態に係る補強部２０を形成する布は、和服１０と同じ生地を使うこととしても良いし、色や柄の違う生地としても良い。
【００３４】
なお、上記実施形態には、多様な変更又は改良を加えることが可能である。その様な変更又は改良を加えた形態も本考案の技術的範囲に含まれ得ることが、実用新案登録請求の範囲の記載から明らかである。
【符号の説明】
【００３５】
１０  和服、１１  袖、１３  袖口、１４  縫い目、１５  袂、１７  身頃、２０  補強部。
【図１】
0003187254.tif 000003
【図２】
0003187254.tif 000004
【図３】
0003187254.tif 000005